(57)【要約】【課題】厚手生地において、端部同士の間隙を狭めて取り付けることができるスライドファスナーのスライダーを提供する。【解決手段】本発明のスライドファスナーのスライダー１は、胴体２上側の上翼板３と胴体２下側の下翼板４との間隔を調節可能にしたことを特徴とする。上翼板３と下翼板４とを連結する案内柱５をねじで形成して、上翼板３と下翼板４との間隔を調節可能にすることができ、また、下翼板４を、上翼板３よりも幅広に形成することができる。【選択図】図２
2012217603.tif 000002
【特許請求の範囲】
【請求項１】
胴体上側の上翼板と胴体下側の下翼板との間隔を調節可能にしたスライドファスナーのスライダー。
【請求項２】
上翼板と下翼板とを連結する案内柱をねじで形成して、上翼板と下翼板との間隔を調節可能にした請求項１に記載のスライドファスナーのスライダー。
【請求項３】
胴体上側の上翼板と胴体下側の下翼板との間隔を１０ｍｍ〜２０ｍｍの間で調節可能にした請求項１又は２に記載のスライドファスナーのスライダー。
【請求項４】
胴体上側の上翼板と胴体下側の下翼板とを連結する案内柱の高さを１０ｍｍ〜２０ｍｍに形成したスライドファスナーのスライダー。
【請求項５】
下翼板を、上翼板よりも幅広に形成した請求項１〜４のいずれかにスライドファスナーのスライダー。
【発明の詳細な説明】
【技術分野】
【０００１】
本発明は、厚手生地の接合に用いるのに適したスライドファスナーのスライダーに関する。
【背景技術】
【０００２】
スライドファスナーは、主に衣服や鞄の開口部などに設け、生地と生地との接合のために用いられる。
例えば、従来のスライドファスナー１５は、図６に示すように、エレメント１６を備えたファスナーテープ１７の両端縁に、側面に凹状の取付溝を形成した補強部材１８を接着し、この取付溝に各生地１９の端部を挿入して縫製し、各生地１９を接合することができる（下記特許文献１参照）。
【先行技術文献】
【特許文献】
【０００３】
【特許文献１】特開２００２−２２３８２１号公報
【発明の概要】
【発明が解決しようとする課題】
【０００４】
しかし、従来のファスナー１５は、図６に示すように、各生地１９を接合する場合、生地１９間にスライダー２０を通す幅が必要なものである。ファスナー１５の周囲は、生地１９より薄いファスナーテープ１７の厚みになるため、間隙ができ見栄えがよくなく、また、変形しやすいものであった。特に厚手生地を用いた場合は厚さが大きく異なり、間隙が目立つものであった。
【０００５】
そこで、本発明の目的は、厚手生地においても、生地端部の間隙を狭めて取り付けることができるスライドファスナーのスライダーを提供することにある。
【課題を解決するための手段】
【０００６】
本発明のスライドファスナーのスライダーは、胴体上側の上翼板と胴体下側の下翼板との間隔を調節可能にしたことを特徴とするものである。
【０００７】
本発明のスライドファスナーのスライダーは、上翼板と下翼板との間隔を、従来に比べて拡張させることができるため、この間に生地の端部を挟み込むことができ、生地端部の間隙を狭めてファスナーのエレメントを噛み合わせることができる。
【図面の簡単な説明】
【０００８】
【図１】本発明の一実施形態のスライダーの斜視図である。
【図２】図１のスライダーを用いて生地を接合する状態を示した斜視図である。
【図３】図１のスライダーで接合した生地を示した斜視図である。
【図４】図１のスライダーの変形例を示した平面図である。
【図５】本発明の他の実施形態のスライダーを示した斜視図である。
【図６】従来のスライドファスナーで生地を接合した状態を示した断面図である。
【発明を実施するための形態】
【０００９】
以下、本発明のスライドファスナーのスライダーを、一実施形態に基づいて説明する。
【００１０】
本発明の一実施形態のスライダー１は、図１に示すように、胴体２を、上翼板３と下翼板４とを案内柱５で連結して形成し、上翼板３と下翼板４との間隔を調節できるようにしたものである。
【００１１】
上翼板３は、平面視雁首状に形成してあり、上面の幅中間部にアーチ状の柱６を設けて引き手７を取付けてある。下面の先端側には、幅中間部に直方体状に下方に突出した突部８を設け、その下面に案内柱５を締結固定できるねじ穴９が形成してある。後端側には、側端縁に沿い下方に垂下した側面部１０が形成してあり、エレメントを噛み合わせることができる。
【００１２】
下翼板４は、平面視において上翼板２と略同じ形状の平板状に形成してあり、先端側には、案内柱４を締結できるねじ孔１１が形成してある。
【００１３】
案内柱５は、細長状のおねじであり、これを、まず、下翼板４のねじ孔１１に締結して取り付けた後、先端部を上翼板３のねじ穴９に締結固定することにより、スライダー１を形成することができる。このスライダー１は、上翼板３の下面と下翼板４の上面との間隔を、例えば、１０ｍｍ〜２０ｍｍの間で調節することができる。
【００１４】
スライダー１は、従来からあるスライダーの案内柱を切断し、この切断面の上翼板部分にねじ穴を形成し、下翼板部分にねじ孔を形成し、市販のねじを案内柱として用いて形成することもできる。
本実施形態では、案内柱をねじとして上翼板と下翼板との間隔を調節できるようにしてあるが、これに限定されるものではなく、案内柱をピン状に形成し、くさびなどを用いて下翼板を固定できるようにしてもよい。
【００１５】
スライダー１は、従来からあるエレメント１２を備えたファスナーテープ１３に取付けて使用することができる。
例えば、図２に示すように、スライダー１を取付けたファスナーテープ１３の両端縁を、各厚手生地１４の端部に縫製する。この際、上翼板３と下翼板４の間に厚手生地１４の端部が挟まり込むようにする。その後、下翼板４を回転させて上翼板３と下翼板４との間隔を厚手生地１４の厚さと略同じに調節する。そして、スライダー１をスライドさせてエレメント１２を噛み合わせることにより各厚手生地１４を接合させることができる。この際、厚手生地１４の間隙は、案内柱５が通過できる幅にすればよいので、図３に示すように、従来と比べて間隙を狭めて、厚手生地１４をスライドファスナーで接合することができる。
【００１６】
なお、厚手生地１４としては、特に限定するものではないが、１０ｍｍ〜２０ｍｍの厚さの不織布、布地などを用いることができる。
スライダー１は、衣服や鞄などに用いることができる他、厚手生地を接合して鞄の中敷きなどを形成することもできる。
【００１７】
また、図２に示すように、ファスナーテープ１２の裏側に硬めの板状素材１５を設けておくとエレメント１２が噛み合いやすくなる。この素材としては、革、合皮、合成樹脂板などを用いることができる。
【００１８】
上記実施形態では、平面視において、上翼板３と下翼板４を略同じ形状に形成してあるが、図４に示す変形例のように、下翼板４ａを上翼板３ａに対して幅広に形成することができる。これにより、スライダー１ａがスライドしやすくなり、エレメントが噛み合いやすくなる。
【００１９】
図５には、他の実施形態のスライダー１ｂが示されており、これは上翼板３ｂと下翼板４ｂとの間隔を固定させたものである。このようにしても、厚手生地を、間隙を狭めて接合することができる。この場合、案内柱５ｂの高さは、１０ｍｍ〜２０ｍｍに形成することが好ましい。
【００２０】
上記実施形態の構成態様は、本発明を限定するものとして挙げたものではなく、技術目的を共通にするかぎり変更は可能であり、本発明はそのような変更を含むものである。
【符号の説明】
【００２１】
１スライダー  ２胴体  ３下翼板  ４上翼板  ５案内柱  ６柱  ７引き手  ８突部  ９ねじ穴  １０側面部  １１ねじ孔  １２エレメント  １３ファスナーテープ  １４厚手生地  １５板状素材
【図１】
2012217603.tif 000003
【図２】
2012217603.tif 000004
【図３】
2012217603.tif 000005
【図４】
2012217603.tif 000006
【図５】
2012217603.tif 000007
【図６】
2012217603.tif 000008